(57)【要約】【課題】プラズマディスプレイ装置内部の駆動回路における接続の信頼性を向上させることを目的とする。【解決手段】前面にプラズマディスプレイパネルを配設したシャーシ部材の背面側に前記プラズマディスプレイパネルを発光駆動させる駆動回路ブロックを配設して構成したパネルモジュールと、このパネルモジュールを収容しかつフロントケース部と複数の通気孔を有するバックケース部とからなるケースとを備え、前記パネルモジュールの駆動回路ブロックは、複数の配線パターンを有するフレキシブルケーブル２６と、このフレキシブルケーブル２６の複数の配線パターンが接続される複数の端子２４を備えたコネクタ２２とを有し、かつ前記コネクタ２２に前記端子２４に粉塵が付着するのを防止する防塵カバー２７を設けたものである。【選択図】図１
2005121703.tif 000002
【特許請求の範囲】
【請求項１】
前面にプラズマディスプレイパネルを配設したシャーシ部材の背面側に前記プラズマディスプレイパネルを発光駆動させる駆動回路ブロックを配設して構成したパネルモジュールと、このパネルモジュールを収容しかつフロントケース部と複数の通気孔を有するバックケース部とからなるケースとを備え、前記パネルモジュールの駆動回路ブロックは、複数の配線パターンを有するフレキシブルケーブルと、このフレキシブルケーブルの複数の配線パターンが接続される複数の端子を備えたコネクタとを有し、かつ前記コネクタに前記端子に粉塵が付着するのを防止する防塵カバーを設けたことを特徴とするプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
まず、プラズマディスプレイ装置におけるプラズマディスプレイパネルの構造について図２を用いて説明する。図２に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００４】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【０００５】
これらの基板１と基板５とは、スキャン電極及びサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００６】
図３にこのプラズマディスプレイパネルの電極配列を示しており、図３に示すようにスキャン電極及びサステイン電極とアドレス電極とは、Ｍ行×Ｎ列のマトリックス構成であり、行方向にはＭ行のスキャン電極ＳＣＮ１〜ＳＣＮＭ及びサステイン電極ＳＵＳ１〜ＳＵＳＭが配列され、列方向にはＮ列のアドレス電極Ｄ１〜ＤＮが配列されている。
【０００７】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【０００８】
図４にプラズマディスプレイ装置の全体構成の一例を示している。図において、１０は図２に示す構成のパネルであり、このパネル１０を用いたパネルモジュールを収容するケースは、フロントケース部１１と金属製のバックケース部１２とから構成され、フロントケース部１１の開口部には光学フィルター及びパネル１０の保護を兼ねたガラスなどからなる前面カバー１３が配置されている。また、この前面カバー１３には電磁波の不要輻射を抑制するために、例えば銀蒸着が施されている。さらに、バックケース部１２には、パネル１０などで発生した熱を外部に放出するための複数の通気孔１２ａが設けられている。
【０００９】
前記パネル１０は、アルミニウムなどからなるシャーシ部材１４の前面に熱伝導シート１５を介して接着することにより保持され、そしてシャーシ部材１４の背面側には、パネル１０を発光駆動させるための複数の駆動回路ブロック１６が取り付けられ、これによりパネルモジュールが構成されている。駆動回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線基板（図示せず）によって電気的に接続されている。
【００１０】
また、シャーシ部材１４の背面には、駆動回路ブロック１６を取り付けたり、バックケース部１２を固定するためのボス部１４ａがダイカストなどによる一体成型により突設されている。なお、このシャーシ部材１４は、アルミニウム平板に固定ピンを固定して構成してもよい。
【００１１】
このようなプラズマディスプレイ装置において、前記パネルモジュールの駆動回路ブロックは、複数の配線パターンを有するフレキシブルケーブルと、このフレキシブルケーブルの複数の配線パターンが接続される複数の端子を備えたコネクタとを有している。そして、フレキシブルケーブルを接続するコネクタの構造としては、特許文献１に記載されたものなどが知られている。
【特許文献１】特開２００２−２２２６８３号公報
【発明の開示】
【発明が解決しようとする課題】
【００１２】
このようなプラズマディスプレイ装置においては、フレキシブルケーブルが接続されるコネクタの端子がプラズマディスプレイ装置のケース内に進入した粉塵により短絡する可能性があった。
【００１３】
本発明はこのような課題に鑑みなされたもので、プラズマディスプレイ装置内部の駆動回路における接続の信頼性を向上させることを目的とするものである。
【課題を解決するための手段】
【００１４】
上記目的を達成するために本発明は、前面にプラズマディスプレイパネルを配設したシャーシ部材の背面側に前記プラズマディスプレイパネルを発光駆動させる駆動回路ブロックを配設して構成したパネルモジュールと、このパネルモジュールを収容しかつフロントケース部と複数の通気孔を有するバックケース部とからなるケースとを備え、前記パネルモジュールの駆動回路ブロックは、複数の配線パターンを有するフレキシブルケーブルと、このフレキシブルケーブルの複数の配線パターンが接続される複数の端子を備えたコネクタとを有し、かつ前記コネクタに前記端子に粉塵が付着するのを防止する防塵カバーを設けたものである。
【発明の効果】
【００１５】
本発明によれば、防塵カバーを設けることにより、プラズマディスプレイ装置のケース内に進入した粉塵によるコネクタ端子部の短絡を防止し、駆動回路部の接続の信頼性を高めることができる。
【発明を実施するための最良の形態】
【００１６】
以下、本発明の一実施の形態によるプラズマディスプレイ装置について、図１を用いて説明するが、本発明の実施の態様はこれに限定されるものではない。
【００１７】
図１は本発明の一実施の形態によるプラズマディスプレイ装置内部の駆動回路ブロックの要部を拡大して示す断面図で、２１は駆動回路ブロックに使用するプリント配線板で、所定の配線パターンが形成されている。
【００１８】
２２はこのプリント配線板２１上に実装したコネクタで、このコネクタ２２は、樹脂からなる筐体２３内に複数の端子２４を配列して配設している。この端子２４は、後端をプリント配線板２１の配線パターンに半田により電気的に接続し、先端は折り曲げることにより弾性を持たせた構造をしている。また、コネクタ２２は、筐体２３に、図１の矢印方向に回動可能に支持して配設した端子接続カバー２５を備えており、樹脂フィルムに複数の配線パターンを形成してなるフレキシブルケーブル２６の先端を、コネクタ２２内に挿入し、端子接続カバー２５を回動させてフレキシブルケーブル２６の端子部をコネクタ２２の端子２４に押付けることにより、コネクタ２２の端子にフレキシブルケーブル２６を接続することができる。
【００１９】
２７はコネクタ２２の端子２４に粉塵が付着するのを防止する防塵カバーで、コネクタ２２の外部に露出した端子２４を覆うようにプリント配線板２１に取り付けることによりコネクタ２２に配置している。
【００２０】
すなわち、本発明によれば、プラズマディスプレイ装置のバックケース部に空いた通気孔から内部に粉塵が侵入しても、コネクタ２２の端子２４は防塵カバー２７により覆われているため、端子２４間に粉塵が付着して短絡を起こすということも生じなく、駆動回路ブロックにおける接続の信頼性を高めることができる。
【産業上の利用可能性】
【００２１】
以上のように本発明によれば、プラズマディスプレイ装置の駆動回路の接続の信頼性を向上できる有用なものである。
【図面の簡単な説明】
【００２２】
【図１】本発明の一実施の形態によるプラズマディスプレイ装置内部の要部構造を示す断面図
【図２】プラズマディスプレイ装置のパネルの概略構成を示す斜視図
【図３】同プラズマディスプレイ装置のパネルの電極配列を示す説明図
【図４】同プラズマディスプレイ装置の構成の一例を示す分解斜視図
【符号の説明】
【００２３】
２２  コネクタ
２４  端子
２６  フレキシブルケーブル
２７  防塵カバー
【図１】
2005121703.tif 000003
【図２】
2005121703.tif 000004
【図３】
2005121703.tif 000005
【図４】
2005121703.tif 000006